(57)【要約】  【課題】喫煙エリアに設置するテーブルにおいて、美観が悪化したりテーブル使用の邪魔になるという問題を生じることなく、吸殻の火を確実に消すことができるようにする。  【手段】天板１の下面側に、吸殻もみ消し用ローラを内蔵した吸殻消火装置３が配置されている。必要により、天板１の下面側に空気浄化装置２も配置し、空気浄化装置２と吸殻消火装置３とのうち何れか一方又は両方で天板１を支持する。天板１には吸殻消火装置３の内部に吸殻Ｓを投入するための吸殻投入口６が空いている。吸殻投入口６の内部に溜まった吸殻Ｓは、吸殻消火装置３の下部に設けた横向きの出し入れ口から取り出される。【選択図】      図１
2005229942.tif 000002
【特許請求の範囲】
【請求項１】
上下に貫通する吸殻投入口を空けた天板の下面側に、前記吸殻投入口から投入された煙草の火を強制的に消す吸殻消火装置が配置されている、
吸殻消火装置付きテーブル。
【請求項２】
前記天板の下面側に、天板に開口した空気吸引口から汚れた空気を吸引して浄化したのち放散する空気浄化装置も配置されており、この空気浄化装置と吸殻消火装置とのうち少なくともいずれか一方を天板の支持手段に兼用している、
請求項１に記載した吸殻消火装置付きテーブル。
【請求項３】
前記吸殻消火装置は、その外観を構成するボックスと、前記吸殻投入口から投入された煙草の火を強制的に消すべくボックス内に配置されている消火部と、消火部の下方において吸殻を溜める吸殻容器とを備えており、前記ボックスには、前記吸殻容器を出し入れするための出し入れ口が横向きに空いている、
請求項１又は２に記載した吸殻消火装置付きテーブル。
【請求項４】
前記天板の吸殻投入口には、当該吸殻投入口を塞ぐようにして灰皿が着脱自在に装着できるようになっており、前記灰皿に、煙草を差し込み投入できる一つ又は複数の貫通穴と、煙草を寝かせた姿勢で置ける溝とを形成している、
請求項１〜３のうちの何れに記載した吸殻消火装置付きテーブル。
【請求項５】
前記吸殻消火装置と空気浄化装置とには、１本の共通給電ケーブルから電力が供給されている、
請求項２〜４のうちの何れかに記載した吸殻消火装置付きテーブル。
【発明の詳細な説明】
【技術分野】
【０００１】
本発明は、吸殻消火装置付きテーブル（カウンターを含む）に関するものである。
【背景技術】
【０００２】
喫煙室や喫煙コーナーにおいて灰皿は必需品である。この灰皿には、机上に置くだけのタイプや、床に設置できる胴長のタイプなど様々の態様がある。また、例えば特許文献１，２に記載されているように、煙草の火を強制的に消火するものも提案されている。
【０００３】
他方、喫煙室等にテーブル付きの空気浄化装置（分煙装置又は分煙機と呼ばれることも多い）を設置することも広く行われており、その一例として、特許文献３には、テーブルに灰皿用穴を設け、これに胴長の吸殻入れを抜き差し自在に装着することが記載されている。
【特許文献１】特開平８−５６６３９号公報
【特許文献２】特開２００２−３４５４６号公報
【特許文献３】特開２０００−１７６３１４号公報
【発明の開示】
【発明が解決しようとする課題】
【０００４】
特許文献１，２のように灰皿に自動消火機能を持たせると、煙草に火が残っていても煙がくすぶることがない、一々もみ消す必要がないため指が汚れることがない等の利点がある。
【０００５】
他方、例えば喫煙室や喫煙コーナーでは、飲み物を置いたり小物を置いたりするためにテーブルがあると便利であるが、テーブル上に自動消火機能付き灰皿を設置すると美観が著しく劣るのみならず、邪魔になるという問題がある。他方、特許文献３の構成では美観や邪魔の問題は解消できるが、火が残ったままの煙草を灰皿に投入するとくすぶって環境を損なうという問題がある。
【０００６】
本願発明は、これらの問題を解消することを主たる課題とするものである。
【課題を解決するための手段】
【０００７】
請求項１の発明に係るテーブルは、上下に貫通する吸殻投入口を空けた天板の下面側に、前記吸殻投入口から投入された煙草の火を強制的に消す吸殻消火装置が配置されている。
【０００８】
請求項２の発明では、請求項１において、前記天板の下面側に、天板に開口した空気吸引口から汚れた空気を吸引して浄化したのち放散する空気浄化装置も配置されており、この空気浄化装置と吸殻消火装置とのうち少なくともいずれか一方を天板の支持手段に兼用している。
【０００９】
請求項３の発明では、請求項１又は２において、前記吸殻消火装置は、その外観を構成するボックスと、前記吸殻投入口から投入された煙草の火を強制的に消すべくボックス内に配置されている消火部と、消火部の下方において吸殻を溜める吸殻容器とを備えており、前記ボックスには、前記吸殻容器を出し入れするための出し入れ口が横向きに空いている。
【００１０】
請求項４の発明では、請求項１〜３のうちの何れにおいて、前記天板の吸殻投入口には、当該吸殻投入口を塞ぐようにして灰皿が着脱自在に装着できるようになっており、前記灰皿に、煙草を差し込み投入できる一つ又は複数の貫通穴と、煙草を寝かせた姿勢で置ける溝とを形成している。
【００１１】
請求項５の発明では、前記吸殻消火装置と空気浄化装置とには、１本の共通給電ケーブルから電力が供給されている。
【発明の効果】
【００１２】
本願発明はテーブルであるため、天板上に各種物品や飲み物等を置いたり談話したりすることができる。また、吸殻消火装置によって煙草の火を確実に消して環境の悪化を防止できるが、この場合、吸殻消火装置は天板の下方に配置されているため、邪魔になったり外観を悪化させたりすることはない。従って、使い勝手の悪化や美観の悪化を招来することなく、吸殻の火を確実に消して環境を保全できる。
【００１３】
請求項２のように構成すると、喫煙中に発生する煙を浄化できるためより好適である。また、天板を支持する脚を別に設ける必要はないため、それだけ構造を簡単化できる利点もある。
【００１４】
また、特許文献３は深いポット状の灰皿を天板の上方から抜き差しするものであるため、灰皿の抜き取り時に灰が天板上に落ちる虞があるが、請求項３のように構成すると、吸殻容器は天板の下方において横方向に取り出すものであるため、吸殻容器の出し入れに際してテーブル上が汚れることは全くない。
【００１５】
ところで、喫煙室等で喫煙するにおいて、例えば飲み物を飲んだり新聞・雑誌類を読んだりというように、煙草は置いて両手を自由に使いたい場合が多いが、前記各特許文献とも灰皿とはいいながら吸いかけの煙草を仮置きできる機能はなく、このため使い勝手が悪かった。
【００１６】
これに対して請求項４のように構成すると、灰皿に煙草を寝かせた姿勢に仮置きできるため使い勝手に優れている。また、吸い終えた煙草は穴から吸殻消火装置の内部に投入するもので、灰皿が吸殻投入口をできるだけ塞ぐ機能を持っているため、吸殻投入口の内部が露出せずに体裁が良い。また、吸殻が吸殻投入口に投入されてから消火されるまでの間に煙が多少なりとも発生しても、この煙が机上に戻ることを抑止することもできる。
【００１７】
請求項５のように構成すると、吸殻消火装置と空気浄化装置とを備えた高機能のテーブルでありながら、給電用ケーブルが床に散乱することを防止又は抑制して、歩行の邪魔になることを防止でき、かつ、配線作業も容易になる。
【発明を実施するための最良の形態】
【００１８】
次に、本願発明の好適な実施形態を図面に基づいて説明する。
【００１９】
(1).第１実施形態（図１〜図６）
図１〜図６では第１実施形態を示している。図１（Ａ）は全体の概略斜視図、図２は正面図、図３は図２の III-III視概略断面図、図４は図１（Ａ）のIV−IV視断面図、図５は図１の V-V視断面図、図６のうち（Ａ）は装置同士の連結構造を示す部分的な断面図、（Ｂ）は（Ａ）のＢ−Ｂ視断面図である。
【００２０】
この実施形態の吸殻消火装置付きテーブル（以下、「テーブル」という）は、平面視小判形で左右横長の天板１と、この天板１を支持する空気浄化装置２と、空気浄化装置２を挟んだ左右両側に配置した吸殻消火装置３とを備えている。天板１の中央部には、汚れた空気を空気浄化装置２の内部に吸引するための吸気穴４が空いており、この吸気穴４に、パンチングメタル製や金網製等の通気性カバー５を着脱自在に装着している。
【００２１】
天板１のうち吸気穴４を挟んだ左右両側の部位には、吸殻消火装置３の内部に吸殻を投入するための吸殻投入口６が空いており、この吸殻投入口６に灰皿９を着脱自在に装着している。
【００２２】
図１（Ｂ）は灰皿７の平面図であり、この図１（Ｂ）及び図４，５に示すように、灰皿７には、吸殻を投入できる一文字状の貫通穴８が形成されていると共に、縁部を構成する土手部７ａには、吸いかけの煙草Ｔを寝かせた状態に仮置きする溝９が形成されている。土手部７ａの内側は貫通穴８に向けて傾斜した傾斜面になっている。
【００２３】
空気浄化装置２の下面部には、平面視で天板１の長手方向と交叉した状態でＸ字状に延びる４本の安定杆１０が配置されており、安定杆１０の先端部にボール状又はローラ状のキャスター１１を設けている。なお、図１（Ａ）に示すように、安定杆１０は吸殻消火装置３の下面部に設けても良い。
【００２４】
(2).構造の詳細
次に、空気浄化装置２及び吸殻消火装置３の構造を説明する。例えば図３，４に示すように、空気浄化装置２は、底板１３を有する金属板製の外箱（本体ケース）１４を備えている。外箱１４は基本的に平面視四角形でコーナー部１４ａは面取り状にカットした形状（すなわち八角形に近い形状）になっており、安定杆１０はコーナー部１４ａから外向きに延びている。
【００２５】
また、外箱１４の前面は開閉式（或いは着脱式）の点検扉（前カバー）１５になっており、図２に示すように、点検扉１５に、人検知センサー１６やパイロットランプ類１７、錠１８を設けている。
【００２６】
図３に概略を示すように、外箱１４の内部は左右の仕切り板１９で吸引エリア２０とその左右両側の放散エリア２１とに分けられており、吸引エリア２１には、上から順に、ゴミ捕集網２２、フィルターユニット２３、光触媒方式等の脱臭ユニット２４、ファン２５が配置されている。吸引エリア２０と放散エリア２１とは下部において連通しており、放散エリア２１に流入した浄化済空気は、外箱１４の各コーナー部１４ａに形成した排気口２６から機外に放出される。
【００２７】
なお、図示した空気浄化装置２は本願発明で使用できるものの一例であり、例えば浄化済空気を下方に放出するタイプや２台のファンを備えているタイプなど、様々の構造を採用できる。
【００２８】
吸殻消火装置３は、平断面四角形の金属板製ボックス（外ケース）２８を備えている。ボックス２８の前後幅寸法は、空気浄化装置２における外箱１４の前後コーナー部間の間隔寸法と略同じ寸法に設定している。また、浄化済空気の放散機能が吸殻消火装置３によって阻害されることはない。
【００２９】
本実施形態のように空気浄化装置２における外箱１４のコーナー部１４ａに排気口２６を設けた場合、吸殻消火装置３におけるボックス２８の前後幅寸法は空気浄化装置２における外箱１４のコーナー部１４ａ間の間隔寸法よりも小さければ良いが、ボックス２８の前後幅寸法を外箱１４における前後コーナー部間の間隔寸法と略同じ寸法に設定すると、空気浄化装置２のコーナー部１４ａと吸殻消火装置３の前後面とが滑らかに連続するため、外観的にスッキリとして美観が良い利点がある。
【００３０】
ボックス２８の内部のうちその上部には、吸殻投入口６に投入された吸殻Ｓを受ける上広がり漏斗状のホッパー２９が配置されている。ホッパー２９の下部は幅狭になっており、その下方に、消火部の一例として、吸殻Ｓをもみ消す一対のローラ３０，３１を配置している。
【００３１】
両ローラ３０，３１は、ボックス２８に固定された囲い枠３２に回転自在に取付けられている。また、囲い枠３２にはモータ３３を取付けており、モータ３３の回転はチェーン３４等の動力伝達手段を介して一方のローラ３１に伝達される。もちろん、いずれかのローラをモータで直接に駆動しても良い。
【００３２】
両ローラ３０，３１の外周部は耐熱ゴムのような耐熱弾性材からなっている。また、一方のローラ３０の外周は真円形で、他方のローラ３１の外周は軸方向に延びる凹部が周方向に断続した花びら状に形成されている。このため、詰まりを生じることなく吸殻Ｓを確実にもみ消すことができる。モータ３３は囲い枠３２の内部に配置しているため、図５に示すように、吸殻が触れないようにカバー３５で覆われている。
【００３３】
両ローラ３０，３１の上方には吸殻検知センサー３６を設けている。吸殻検知センサー３６は、光電式のものや接触式のものなどその方式は問わない。また、ローラ３０，３１の上方に上下のセンサーを設け、上部のセンサーがＯＮからＯＦＦになったのち下部のセンサーがＯＮになる信号変化により、吸殻Ｓが落下してきたことを検出しても良い。いずれにしても、吸殻Ｓが落下するとセンサーがこれを検知するとモータ３３が駆動し、吸殻Ｓはもみ消される。
【００３４】
モータ３３の下方の部分は、出入り口が扉３７で開閉自在に塞がれた吸殻集積部３８になっており、ここにカップ状の吸殻容器３９を着脱自在に配置している。吸殻容器３９はボックス２８の内部に設けた受け板４０に載置されている。この場合、受け板４５には吸殻容器３９が嵌まる凹所４０ａを形成している。このため、吸殻容器３９を正しく位置決めできて、吸殻Ｓが吸殻容器３９の外側に散らばることを防止できる。また、運搬や地震に際して吸殻容器３９がずれ動くことも防止できる。
【００３５】
図２に符号Ｌで示すように、吸殻消火装置３のボックス２８にはローラ３０，３１の作動状況を知らせるランプＬを設けている。例えば、物が詰まって回転不能になった場合は、トルクセンサーが働いてランプＬが点灯する。なお、吸殻消火装置２の内部に水を流す虞があることから、センサー３６やモータ３３等は水の影響を受けないように防護されている。
【００３６】
吸殻容器３９は頻繁に出し入れするものであるため、できるだけ軽量であることが好ましい。また、水洗いすることもあるので錆びないことが必要である。そこで、吸殻容器３９の材質としてはアルミ製が好ましい。
【００３７】
そこで、本実施形態では吸殻容器３９をアルミ製とし、かつ、底にシート状（或いは板状）のマグネット４１を貼り付けている。受け板４０はスチール製である。このため、軽量でかつ錆びない利点を保持しつつ、運搬や地震に際して凹所４０ａから飛び出すこことを防止できると共に，正確な姿勢に載置できる。
【００３８】
本実施形態では、吸殻消火装置３のボックス２８は空気浄化装置２の外箱１４に固定されている。その具体的構造を図６に示している。すなわち本実施形態では、Ｌ形に形成した状態で金具４３を、空気浄化装置２における外箱１４の外側面と上面及び下面に重なるように配置し、金具４３に皿ビス４４で外箱１４を固定すると共に、金具４３をビス４４で天板１の下面に固定し、更に、吸殻消火装置３のボックス２８を皿ビス４５で金具４３に固定している。
【００３９】
敢えて述べるまでもないが、外箱１４とボックス２８とをボルト類で直接に固定しても良いし、ボックス２８を天板１の下面にビスで固定するなどしても良い。更に、吸殻消火装置３と空気浄化装置２とのボックス（外箱）を一体化しても良いのである。
【００４０】
本実施形態では、吸殻消火装置３のボックス２８にはアジャスタボルト４６を取り付けている。アジャスタボルト４６は前後中間位置において左右２個設けている（もちろん四隅に設けるなどしても良い）。
【００４１】
例えば人がボックス２８に靴を当てて下向きに押すことがあり得るが、アジャスタボルト４６を設けると、的確に支えることができる。また、移動に際してはアジャスタボルト４６を床から浮かすことによって、空気浄化装置２のキャスター１１を利用して簡単に移動させることができ、また、設置した状態ではアジャスタボルト４６を床に当接させることにより、テーブルをずれ不能に保持できる。
【００４２】
ところで、例えばテーブルを船舶のような乗り物に設置する場合、揺れや振動があっても絶対に移動しないように保持する必要がある。また、地震があっても移動しないように固定したい場合がある。このような場合には、図６に示すように、アジャスタボルト４６の軸部に外側から嵌まる金具４７を使用し、金具４７を床にビス（アンカー）４８で固定したら良い。なお、金具４７は、テーブルの中央部を挟んだ両側の少なくとも２カ所の位置に固定したら良い。
【００４３】
(3).満杯警告等
ところで、吸殻容器３９の吸殻は満杯になる前に捨てる必要がある。この場合、吸殻容器３９が満杯に近い状態であることをテーブルの外側から人に知らしめる警告手段を設けると、吸殻が溢れてしまう事態を防止できると共に、僅かしか溜まっていないのに吸殻容器３９を取り出すという無駄な作業を防止できる。
【００４４】
警告手段としては、図１に示すように、ボックス２８の外面の適宜箇所（満杯警告ランプ４９を設けたり、満杯警告ブザーを設けたり、覗き窓を設けたりすることが考えられ。そして、ランプやブザーを作動させる方法の１つとして、吸殻検知センサー３６を利用することが考えられる。
【００４５】
すなわち、吸殻消火装置３の制御装置内に記憶装置を設けておいて、吸殻Ｓのローラ３０，３１で処理した数を記憶装置で積算していき、ある量になったらランプやブザーを作動させるのである。この方法では、吸殻検知センサー３６をそのまま利用できるので、別にセンサー類を必要としない利点がある。なお、扉３７を空けたら記憶装置がリセットされるように設定する。
【００４６】
ランプやブザーを作動させる他の方法としては、例えば吸殻容器３９を置く場所に、圧電素子を利用したロードセルのような重量計を設けておき、一定の重量に達したら通電してランプヤブザーが作動するように設定することも可能である。吸殻消火装置３にはローラ３０，３１の駆動等の電力が必要であり、また、空気浄化装置２にはファン２５の駆動や光触媒用ランプ点灯用等の電源が必要である。そして、空気浄化装置２と吸殻消火装置３とで別々に電源を取ることも考えられるが、配線が面倒であると共にコストも嵩み、かつ、歩行の邪魔になり易い。
【００４７】
そこで本実施形態では、１本の共通電源ケーブル５１（図１，２参照）から電力を引き込んで、この共通電源ケーブル５１から両吸殻消火装置３と空気浄化装置２とに配電している。このため配線作業が楽であると共に、歩行の邪魔にもなりにくい。空気浄化装置２及び吸殻消火装置３への給電方法としては、図１（Ｃ）に示すように複数口の穴を持つコンセントＣを使用して、これに各装置の個別電源プラグＰを接続したら良い。コンセントＣは給電用の栓刃を備えていても良いし、ケーブルを接続していても良い。なお、他の配電方法でも良い。また、複数の吸殻消火装置３のみを設ける場合も、このような配電方法を採用できる。
【００４８】
(4).他の実施形態（図７〜図９）
図７では第２実施形態を示している。この実施形態では、１つのテーブルに吸殻消火装置３と空気浄化装置２とを１台ずつ設けている。吸殻消火装置３及び空気浄化装置２の具体的な構造は第１実施形態とほぼ同様であるが、吸殻容器３９を引き出し方式にしている点が第１実施形態と相違している。
【００４９】
図８に示す第３実施形態はテーブルの一種のとしてのカウンターに適用しており、天板１は、一般成人の腹部や胸の高さ程度に設定されている。例えば駅や空港のような公共施設に設置する場合、或いは立ちのみ式コーヒーショップに設置するのに好適である。この実施形態では吸殻容器の取り出し口は左右外側に開口させている。
【００５０】
図９（Ａ）では第４実施形態を示している。この実施形態はカウンターに適用しており、左右中間部に吸殻消火装置３を配置し、その左右両側に空気浄化装置２を配置している。
【００５１】
図９（Ｂ）に示す第５実施形態は、天板１を吸殻消火装置３のみで支持していおり、空気浄化装置は備えていない。吸殻消火装置３は１つのボックス２８を備えており、その内部に３つの消火部や吸殻容器を内蔵している。
【００５２】
(5).その他
本実施形態は上記の実施形態の他にも様々に具体化することができる。例えば天板の形状は必要に応じて様々に具体化することができる。また、吸殻消火装置のボックスの断面形状は円形などでも良い。更に吸殻消火装置の消火方法は実施形態のようにもみ消すことには限らず、確実かつ迅速に火を消すことができるものであれば、どのようなものでも良い。
【図面の簡単な説明】
【００５３】
【図１】（Ａ）は第１実施形態に係るテーブルの全体の概略斜視図、（Ｂ）は灰皿の平面図、（Ｃ）は配電手段の概略図である。
【図２】第１実施形態の正面図である。
【図３】図２の III-III視概略断面図である。
【図４】図１（Ａ）のIV−IV視断面図である。
【図５】図１の V-V視断面図である。
【図６】（Ａ）はユニットの連結状態を示す部分的な断面図、（Ｂ）は（Ａ）のＢ−Ｂ視断面図である。
【図７】第２実施形態を示す斜視図である。
【図８】第３実施形態を示す斜視図である。
【図９】第４実施形態及び第５実施形態を示す斜視図である。
【符号の説明】
【００５４】
１  天板
２  吸殻消火装置
３  空気浄化装置
４  吸気穴
６  吸殻投入口
９  灰皿
１４  外箱
２６  排気口
２８  吸殻消火装置のボックス
３０，３１  消火部を構成するローラ
３３  ローラ駆動用のモータ
３７  扉
３８  集積部
【図１】
2005229942.tif 000003
【図２】
2005229942.tif 000004
【図３】
2005229942.tif 000005
【図４】
2005229942.tif 000006
【図５】
2005229942.tif 000007
【図６】
2005229942.tif 000008
【図７】
2005229942.tif 000009
【図８】
2005229942.tif 000010
【図９】
2005229942.tif 000011